(57)【要約】【課題】衛生洗浄装置内の噴霧ノズルからの漏水を抑制できる衛生洗浄装置を提供することを目的とする。【解決手段】脱臭フィルタと、前記脱臭フィルタに水を噴霧する噴霧ノズルと、前記脱臭フィルタ及び前記噴霧ノズルを収納するケーシングであって、前記脱臭フィルタを通過した空気を前記ケーシングの外へ排気する排気口部を有する前記ケーシングと、前記噴霧ノズルと前記排気口部との間に設けられた第１遮蔽部と、を備え、前記噴霧ノズルから噴霧される水の一部は、前記排気口部へ向かう方向に噴霧され、前記第１遮蔽部は、前記一部の前記排気口部への進行を遮ることを特徴とする衛生洗浄装置が提供される。【選択図】図７
2018031212.tif 000002
【特許請求の範囲】
【請求項１】
脱臭フィルタと、
前記脱臭フィルタに水を噴霧する噴霧ノズルと、
前記脱臭フィルタ及び前記噴霧ノズルを収納するケーシングであって、前記脱臭フィルタを通過した空気を前記ケーシングの外へ排気する排気口部を有する前記ケーシングと、
前記噴霧ノズルと前記排気口部との間に設けられた第１遮蔽部と、
を備え、
前記噴霧ノズルから噴霧される水の一部は、前記排気口部へ向かう方向に噴霧され、
前記第１遮蔽部は、前記一部の前記排気口部への進行を遮ることを特徴とする衛生洗浄装置。
【請求項２】
前記第１遮蔽部の下方に設けられ、前記第１遮蔽部と連続した第２遮蔽部をさらに備えたことを特徴とする請求項１記載の衛生洗浄装置。
【請求項３】
前記第２遮蔽部の最下端は、前記脱臭フィルタの上方に位置することを特徴とする請求項２記載の衛生洗浄装置。
【請求項４】
前記第１遮蔽部は、鉛直方向に対して傾斜した板状であることを特徴とする請求項１〜３のいずれか１つに記載の衛生洗浄装置。
【請求項５】
前記噴霧ノズルの先端からみたときに、前記第１遮蔽部の左右を囲む第３遮蔽部をさらに備えたことを特徴とする請求項１〜４のいずれか１つに記載の衛生洗浄装置。
【発明の詳細な説明】
【技術分野】
【０００１】
本発明の態様は、一般的に、衛生洗浄装置に関する。
【背景技術】
【０００２】
トイレルームに設置される衛生洗浄装置の内部には、水を噴霧する噴霧ノズルが設けられることがある。例えば、特許文献１に記載の衛生洗浄装置は、脱臭フィルタと、脱臭フィルタに水を噴霧する噴霧ノズルと、を有する。この衛生洗浄装置は、トイレルーム内の空気を吸い込み、空気を脱臭フィルタによって脱臭した後、排気口部から衛生洗浄装置の外へ排気する。このような従来の衛生洗浄装置では、噴霧ノズル等を収納するための広い収納空間が設けられており、噴霧ノズルから排気口部までの距離は、十分確保されていた。
【先行技術文献】
【特許文献】
【０００３】
【特許文献１】特開２０１６−４４３９７号公報
【発明の概要】
【発明が解決しようとする課題】
【０００４】
衛生洗浄装置の小型化に伴い、衛生洗浄装置内部に部材を収納する際の収納効率の向上が必要となる。収納効率を向上するために、噴霧ノズルから排気口部まで距離を従来に比べて短くすることが必要となる場合がある。この場合、噴霧ノズルが排気口部に近づくことで、噴霧ノズルによって噴霧された水が排気口部から衛生洗浄装置の外部に飛び散り、漏水が生じるおそれがある。
【０００５】
本発明は、かかる課題の認識に基づいてなされたものであり、衛生洗浄装置内の噴霧ノズルからの漏水を抑制できる衛生洗浄装置を提供することを目的とする。
【課題を解決するための手段】
【０００６】
第１の発明は、脱臭フィルタと、前記脱臭フィルタに水を噴霧する噴霧ノズルと、前記脱臭フィルタ及び前記噴霧ノズルを収納するケーシングであって、前記脱臭フィルタを通過した空気を前記ケーシングの外へ排気する排気口部を有する前記ケーシングと、前記噴霧ノズルと前記排気口部との間に設けられた第１遮蔽部と、を備え、前記噴霧ノズルから噴霧される水の一部は、前記排気口部へ向かう方向に噴霧され、前記第１遮蔽部は、前記一部の前記排気口部への進行を遮ることを特徴とする衛生洗浄装置である。
【０００７】
この衛生洗浄装置によれば、噴霧ノズルから排気口部に向けて噴霧された水が、排気口部に到達することを抑制できる。したがって、排気口部からの水の飛び散りを抑制でき、漏水を抑制することができる。
【０００８】
第２の発明は、第１の発明において、前記第１遮蔽部の下方に設けられ、前記第１遮蔽部と連続した第２遮蔽部をさらに備えたことを特徴とする衛生洗浄装置である。
【０００９】
この衛生洗浄装置によれば、第１遮蔽部の下方へ伝った水は、排気口部へ向かう空気、及び、第１遮蔽部には遮蔽されず第１遮蔽部付近を通過した水によって流されても、第２遮蔽部に到達する。これにより、第１遮蔽部の下方へ伝った水が、排気口部に到達することを抑制できる。
【００１０】
第３の発明は、第２の発明において、前記第２遮蔽部の最下端は、前記脱臭フィルタの上方に位置することを特徴とする衛生洗浄装置である。
【００１１】
この衛生洗浄装置によれば、第２遮蔽板の下方へ伝った水は、落下すると脱臭フィルタに到達する。したがって、水をより確実に脱臭フィルタに供給することができる。
【００１２】
第４の発明は、第１〜第３のいずれか１つの発明において、前記第１遮蔽部は、鉛直方向に対して傾斜した板状であることを特徴とする衛生洗浄装置である。
【００１３】
この衛生洗浄装置によれば、第１遮蔽部に到達した水を、第１遮蔽部の傾斜に沿って下方へ流すことができ、水が第１遮蔽部に溜まることを抑制できる。
【００１４】
第５の発明は、第１〜第４のいずれか１つの発明において、前記噴霧ノズルの先端からみたときに、前記第１遮蔽部の左右を囲む第３遮蔽部をさらに備えたことを特徴とする衛生洗浄装置である。
【００１５】
このトイレ装置によれば、噴霧ノズルから外側に向けて噴霧された水の広がりを抑えることができる。これにより、排気口部からの水の飛び散りをさらに抑制できる。
【発明の効果】
【００１６】
本発明の態様によれば、衛生洗浄装置内の噴霧ノズルからの漏水を抑制できる衛生洗浄装置が提供される。
【図面の簡単な説明】
【００１７】
【図１】実施形態に係る衛生洗浄装置が設置されたトイレルームを例示する斜視図である。
【図２】実施形態に係る衛生洗浄装置の本体部を例示する斜視図である。
【図３】実施形態に係る衛生洗浄装置の本体部を例示する平面図である。
【図４】実施形態に係る衛生洗浄装置の脱臭ユニットを例示する斜視図である。
【図５】実施形態に係る衛生洗浄装置の脱臭ユニットを例示する平面図である。
【図６】実施形態に係る衛生洗浄装置の脱臭ユニットを例示する断面図である。
【図７】実施形態に係る衛生洗浄装置の脱臭ユニットを例示する断面図である。
【図８】図８（ａ）及び図８（ｂ）は、実施形態に係る衛生洗浄装置の脱臭ユニットを例示する断面図及び斜視図である。
【発明を実施するための形態】
【００１８】
以下、本発明の実施の形態について図面を参照しつつ説明する。なお、各図面中、同様の構成要素には同一の符号を付して詳細な説明は適宜省略する。
【００１９】
図１は、実施形態に係る衛生洗浄装置が設置されたトイレルームを例示する斜視図である。  
図１に示すように、トイレルームＴＲには、洋式腰掛大便器（以下、単に「便器」と称する）１５０が設置されている。実施形態に係る衛生洗浄装置１００は、便器１５０の上に設置される。衛生洗浄装置１００は、本体部１０と、便蓋１１と、便座１２と、を有する。本体部１０は、便器１５０の後方部の上に載置される。便蓋１１及び便座１２は、それぞれ、本体部１０に対して開閉可能に軸支されている。
【００２０】
ここで、本願明細書においては、便座１２に座った使用者からみて上方を「上方」とし、便座１２に座った使用者からみて下方を「下方」とする。開いた状態の便蓋１１に背を向けて便座１２に座った使用者からみて前方を「前方」とし、後方を「後方」とし、右側を「右側方」とし、左側を「左側方」とする。
【００２１】
図２は、実施形態に係る衛生洗浄装置の本体部を例示する斜視図である。  
図３は、実施形態に係る衛生洗浄装置の本体部を例示する平面図である。  
図２に示すように、本体部１０は、ケーシング２０を有する。ケーシング２０は、ケースカバー２１と、ケースプレート２２（図３参照）と、を有する。
【００２２】
図３は、本体部１０からケースカバー２１を取り外した状態を示す。  
図３に示すように、本体部１０は、給水ユニット３１、洗浄ノズル３３、脱臭ユニット３５及び熱交換器３７などを有する。これらは、ケースプレート２２の上に固定されており、これらを覆うようにケースカバー２１がケースプレート２２と固定される。
【００２３】
給水ユニット３１は、給水口３１ｅと、流路開閉弁３１ｆ（電磁弁）と、を有する。給水口３１ｅは、給水配管などを介して、水道管などの給水源と接続される。流路開閉弁３１ｆが開くことにより、本体部１０に水が供給される。
【００２４】
給水ユニット３１から供給された水は、図示しない電磁弁や流路切換弁等によって、洗浄ノズル３３へ水を導く流路や、脱臭ユニット３５へ水を導く流路へ流れる。つまり、電磁弁や流路切換弁によって、洗浄ノズル３３及び脱臭ユニット３５のそれぞれに、適宜、水が供給される。
【００２５】
熱交換器３７は、水を洗浄ノズル３３へ導く流路上に設けられ、供給された水を加熱し、温水を生成する。熱交換器３７は、例えばセラミックヒータなどを用いた瞬間加熱式（瞬間式）の熱交換器でもよいし、貯湯タンクを用いた貯湯加熱式の熱交換器でもよい。
【００２６】
洗浄ノズル３３は、ケースプレート２２の左右方向における略中央に設けられている。洗浄ノズル３３は、モータ等を有する駆動部３３ｆからの駆動力を受け、図３に破線で示した洗浄ノズル３３のように便器１５０のボウル内に進出することができる。また、洗浄ノズル３３は、駆動部３３ｆからの駆動力を受け、ケーシング２０の内部に後退することができる。
【００２７】
洗浄ノズル３３の先端部には吐水口３３ｈが設けられており、洗浄ノズル３３は、供給された水を吐水口３３ｈから吐水する。これにより、便座に座った使用者の局部（例えば「おしり」など）を洗浄することができる。
【００２８】
脱臭ユニット３５は、ケースプレート２２上の左端部に設置されている。  
図２及び図３に表した矢印Ａ１のように、脱臭ユニット３５は、ケーシング２０の左側面の前方に設けられた吸気口部４１から、トイレルームＴＲ内の空気を吸い込む。吸気口部４１から吸い込まれた空気に含まれる悪臭成分は、脱臭ユニット３５によって捕集される。なお、悪臭成分は、例えば、アンモニア成分である。この悪臭成分は、トイレルームＴＲの床や壁などに付着してしまった尿により、発生するものである。
【００２９】
図２及び図３に表した矢印Ａ２のように、脱臭ユニット３５によって悪臭成分が捕集され脱臭された空気は、ケーシング２０の左側面の後方に設けられた排気口部４３から、トイレルームＴＲ内に吐き出される。
【００３０】
なお、図２に示したように、吸気口部４１は、ケースカバー２１とケースプレート２２との隙間に設けられた開口部である。また、ケースカバー２１の側面にはカバー４４が設けられている。排気口部４３は、このカバー４４に設けられた排気ルーバである。すなわち、排気口部４３は、羽板４３ａと、羽板４３ａ間の開口部４３ｂと、を有する。羽板４３ａは、下方に向かって傾斜しているため、脱臭ユニット３５によって脱臭された空気は、ケーシング２０から斜め下方に向けて排出される。
【００３１】
図４は、実施形態に係る衛生洗浄装置の脱臭ユニットを例示する斜視図である。  
図５は、実施形態に係る衛生洗浄装置の脱臭ユニットを例示する平面図である。  
図６は、実施形態に係る衛生洗浄装置の脱臭ユニットを例示する断面図である。  
図６は、図５に示すＣ１−Ｃ２線における断面を表している。  
図４〜図６に示すように、脱臭ユニット３５は、噴霧ノズル５１と、ファン５２と、ダクト５３と、排気口５４と、脱臭フィルタ５５（図６参照）と、を有する。
【００３２】
ファン５２は、ケーシング２０の吸気口部４１（図３参照）の側方に設置されている。また、排気口５４は、ケーシング２０の排気口部４３（図３参照）と対向するように設置されている。
【００３３】
ファン５２は、例えば樹脂製のシロッコファンである。ファン５２は、内部に設けられた複数の羽が回転することで、例えば図６に表した矢印Ａ３のように、吸気口部４１を介してトイレルームＴＲ内の空気を吸い込む。吸い込まれた空気は、図６に表した矢印Ａ４のようにダクト５３の斜面を通過して、上方から下方に向かって脱臭フィルタ５５を通過する。
【００３４】
脱臭フィルタ５５を通過した空気は、図４に表した矢印Ａ５のように排気口５４を通過し、その後ケーシング２０の排気口部４３からケーシング２０の外へ排気される。
【００３５】
後述するように、噴霧ノズル５１によって、水が脱臭フィルタ５５に噴霧される。脱臭フィルタ５５は、ファン５２と排気口５４との間、即ちファン５２の下流側に設けられている。言い換えれば、ファン５２は、噴霧ノズル５１によって水が噴霧された脱臭フィルタ５５よりも上流側に設置される。そのため、湿気を含んだ空気が脱臭フィルタ５５から電気機器のファン５２へ送られることがない。よって、湿気により、ファン５２が故障することを防ぐことができる。また、ファン５２から排出された空気は、脱臭フィルタ５５を通過する。そのため、ファン５２が作動する前に衛生洗浄装置１００の内部に溜まった空気は、脱臭フィルタ５５を通過し、悪臭成分が捕集された後にトイレルームＴＲへ排出されることとなる。よって、ファン５２を作動させた際に、衛生洗浄装置１００の内部に溜まった空気が悪臭成分を捕集又は分解されずにトイレルームＴＲへ排出されることを防ぐことができる。さらに、脱臭フィルタ５５は、使用者の操作によって、排気口５４から自由に取り出し可能とされている。このことより、脱臭フィルタ５５の清掃性が向上する。
【００３６】
脱臭フィルタ５５には、例えば多孔質セラミックが用いられる。噴霧ノズル５１から脱臭フィルタ５５に水が噴霧されると、脱臭フィルタ５５は、その水を内部に保つ。脱臭フィルタ５５が内部に水を保った状態において、ファン５２を動作させることで、脱臭フィルタ５５を通過する空気から悪臭成分を取り除くことができる。
【００３７】
図７は、実施形態に係る衛生洗浄装置の脱臭ユニットを例示する断面図である。  
図７は、図５に示すＣ３−Ｃ４線における断面を表している。  
給水ユニット３１から脱臭ユニット３５へ水を導く流路へ流れた水は、噴霧ノズル５１へ導かれる。
【００３８】
噴霧ノズル５１は、その先端に吐水口５１ｂを有する。吐水口５１ｂは、脱臭フィルタ５５の上方に位置する。また、吐水口５１ｂは、脱臭フィルタ５５の中心よりも左側方に位置する。換言すれば、吐水口５１ｂは、脱臭フィルタ５５の中心よりも、外側に配置されている。なお「外側」とは、図３のような平面視において、ケーシング２０の外周に近い側である。
【００３９】
そして、図７に示すように、噴霧ノズル５１は、その先端の吐水口５１ｂから脱臭フィルタ５５へ向けて水を噴霧する。
【００４０】
吐水口５１ｂから噴霧された水は、吐水口５１ｂを頂点とした円錐状に広がる。このときの、水の広がり角度θ１は、約１１０度程度である。このように広がり角度θ１を大きくすることで、脱臭フィルタ５５の全体に水を噴霧することができる。また、噴霧ノズル５１の中心軸Ｘ１は、左右方向において傾いている。このため、図７に示したように吐水口５１ｂの噴霧中心方向Ｄ１は、右側下方向を向いている。すなわち、噴霧中心方向Ｄ１は、内側を向いている。なお、「噴霧中心方向」とは、吐水口５１ｂから噴霧された水が形成する円錐の頂点から底面の中心へ向かう方向、または、広がり角度θ１を概略二等分する方向である。
【００４１】
但し、吐水口５１ｂから噴霧される水の一部は、図７に表した方向Ｄ２のように、ケーシング２０の排気口部４３へ向かう方向に噴霧される。このように排気口部４３へ向けて水が噴霧される場合、排気口部４３から、水がケーシング２０の外側に飛び散る恐れがある。
【００４２】
これに対して、実施形態に係る脱臭ユニット３５は、第１遮蔽部６１（第１遮蔽板）を有する。第１遮蔽部６１は、噴霧ノズル５１（吐水口５１ｂ）と排気口部４３（開口部４３ｂ）との間に設けられている。このため、排気口部４３へ向けて噴霧された水は、第１遮蔽部６１に到達し、第１遮蔽部６１により排気口部４３への進行を遮られる。これにより、噴霧ノズル５１から排気口部４３に向けて噴霧された水が、排気口部４３に到達することを抑制することができる。したがって、排気口部４３からの水の飛び散りを抑制でき、漏水を抑制することができる。
【００４３】
また、第１遮蔽部６１は、鉛直方向に対して傾斜した板状である。これにより、噴霧ノズル５１から噴霧されて第１遮蔽部６１に到達した水は、傾斜に沿って流れることができるため、第１遮蔽部６１に水が溜まることを抑制できる。さらに、第１遮蔽部６１の傾斜は、脱臭フィルタ５５へ向かう下り傾斜であり、第１遮蔽部６１の最下端６１ａは、脱臭フィルタ５５の上に位置する。これにより、第１遮蔽部６１を下方に伝った水は、落下すると脱臭フィルタ５５に到達する。したがって、水をより確実に脱臭フィルタ５５に供給することができる。
【００４４】
脱臭ユニット３５は、さらに第２遮蔽部６２（第２遮蔽板）を有する。第２遮蔽部６２は、第１遮蔽部６１の下方に設けられ、第１遮蔽部６１から連続している。第２遮蔽部６２は、鉛直方向に沿って延びる板状である。
【００４５】
ファン５２が駆動することにより、脱臭ユニット３５の内部には、排気口部４３へ向かう空気の流れが形成されている。このため、第１遮蔽部６１を下方に伝って最下端６１ａ付近に付着した水が、上述の空気及び、第１遮蔽部には遮蔽されず第１遮蔽部付近を通過した水に流されて、排気口部４３から飛び散るおそれがある。これに対して、実施形態においては、第１遮蔽部６１を下方に伝った水は、排気口部４３へ向かう空気によって流されても、第２遮蔽部６２に到達する。これにより、第１遮蔽部６１の下方へ伝った水が、排気口部４３に到達することを抑制できる。
【００４６】
また、第２遮蔽部６２の最下端６２ａは、脱臭フィルタ５５の上に位置する。これにより、第２遮蔽部６２を下方に伝った水は、落下すると脱臭フィルタ５５に到達する。したがって、水をより確実に脱臭フィルタ５５に供給することができる。
【００４７】
なお、この例では、第１遮蔽部６１の形状及び第２遮蔽部６２の形状は、それぞれ平板状であるが、実施形態はこれに限定されない。例えば、第１遮蔽部６１、第２遮蔽部６２は、曲面を有していてもよいし、厚みが一定でなくてもよい。
【００４８】
図８（ａ）及び図８（ｂ）は、実施形態に係る衛生洗浄装置の脱臭ユニットを例示する断面図及び斜視図である。  
これらの図は、図５に示すＣ５−Ｃ６線における断面を表している。  
図８（ａ）及び図８（ｂ）に示したように、脱臭ユニット３５は、第３遮蔽部６３をさらに有する。第３遮蔽部６３は、図７に関して説明した噴霧ノズル５１の先端（吐水口５１ｂ）から見たときに、第１遮蔽部６１の左右及び後方を囲むように設けられている。第３遮蔽部６３は、第１遮蔽部６１の外側を囲み上下方向に延びる面を有する。これにより、噴霧ノズル５１から外側に向けて噴霧された水の広がりを抑えることができ、排気口部４３からの水の飛び散りをさらに抑制できる。
【００４９】
なお、以上説明した例では、噴霧ノズル５１は、脱臭ユニット３５の蓋７０に支持されている。そして、第１〜第３遮蔽部６１〜６３は、樹脂などにより、蓋７０の一部として一体に成形されている。但し、蓋７０、第１〜第３遮蔽部６１〜６３は、別々に成形され、組み立てられたものであってもよい。すなわち、実施形態は、第１〜第３遮蔽部６１〜６３が一体に成形されたものである場合も、第１〜第３遮蔽部６１〜６３が別々に成形されたものである場合も含むものとする。
【００５０】
また、噴霧ノズル５１から脱臭フィルタに噴霧される水は、水道水に限らず、除菌機能などを有する機能水であってもよい。例えば、衛生洗浄装置１００は、機能水生成手段として電解槽ユニットを有していてもよい。電解槽ユニットは、水道水を電気分解して次亜塩素酸を含む液（機能水）を生成する。このような機能水（電解水、除菌水）を脱臭フィルタに噴霧してもよい。
【００５１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、脱臭フィルタ、噴霧ノズル、ケーシング、第１〜第３遮蔽部などが備える各要素の形状、寸法、材質、配置、設置形態などは、例示したものに限定されるわけではなく適宜変更することができる。  また、前述した各実施の形態が備える各要素は、技術的に可能な限りにおいて組み合わせることができ、これらを組み合わせたものも本発明の特徴を含む限り本発明の範囲に包含される。
【符号の説明】
【００５２】
１０ 本体部、  １１ 便蓋、  １２ 便座、  ２０ ケーシング、  ２１ ケースカバー、  ２２ ケースプレート、  ３１ 給水ユニット、  ３１ｅ 給水口、  ３１ｆ 流路開閉弁、  ３３ 洗浄ノズル、  ３３ｆ 駆動部、  ３３ｈ 吐水口、  ３５ 脱臭ユニット、  ３７ 熱交換器、  ４１ 吸気口部、  ４３ 排気口部、  ４３ａ 羽板、  ４３ｂ 開口部、  ４４ カバー、  ５１ 噴霧ノズル、  ５１ｂ 吐水口、  ５２ ファン、  ５３ ダクト、  ５４ 排気口、  ５５ 脱臭フィルタ、  ６１ 第１遮蔽部、  ６１ａ 最下端、  ６２ 第２遮蔽部、  ６２ａ 最下端、  ６３ 第３遮蔽部、  ７０ 蓋、  １００ 衛生洗浄装置、  １５０ 便器、  Ｄ１ 噴霧中心方向、  Ｄ２ 方向、  ＴＲ トイレルーム、  Ｘ１ 中心軸
【図１】
2018031212.tif 000003
【図２】
2018031212.tif 000004
【図３】
2018031212.tif 000005
【図４】
2018031212.tif 000006
【図５】
2018031212.tif 000007
【図６】
2018031212.tif 000008
【図７】
2018031212.tif 000009
【図８】
2018031212.tif 000010